(57)【要約】【課題】  ヘッドフォンを装着するとリスナーの頭部を圧迫する。【解決手段】  本発明は上述の課題を解決するために、リスナーの頭部以外に脱着可能に取り付けられる装着部を備えたスピーカー支持体と、スピーカー支持体に取り付けられ、リスナーの肩の上に位置するよう配置されたスピーカーとを備える。【選択図】        図１
2005303707.tif 000002
【特許請求の範囲】
【請求項１】
リスナーの頭部以外に脱着可能に取り付けられる装着部を備えたスピーカー支持体と、
該スピーカー支持体に取り付けられ、前記リスナーの肩の上に位置するよう配置されたスピーカーとを備えたことを特徴とするスピーカー。
【請求項２】
マルチチャンネル信号におけるリアチャンネル信号を、頭部伝達関数を用いて信号処理することにより得られた仮想定位位置に該リアチャンネル信号の音像が定位するよう、前記スピーカーから信号を再生することを特徴とする請求項１に記載のスピーカー。
【発明の詳細な説明】
【技術分野】
【０００１】
本発明は、スピーカーに関する。
【背景技術】
【０００２】
５．１チャンネル又は６．１チャンネルといったマルチチャンネルサラウンド信号を再生する、所謂ホームシアターシステムが一般家庭に普及している。このシステムは基本的にはフロントに３本、リアに２本のスピーカーを配置すると共に、サブウーファーと呼ばれる低音域を再生するためのスピーカーの合計６本を部屋の中に配置する必要がある。
【０００３】
しかしながら、かかる６本のスピーカーを部屋に設置することは特に狭い部屋においては困難であり、特にリスナーの後ろにスピーカーを配置するスペースがない場合が多い。この問題を解決するために、頭部伝達関数（以下、ＨＲＴＦという）を使用することにより、リア側に設置したスピーカーからリアチャンネル信号が再生された場合と同様の信号をフロントスピーカーによって再生することが可能である。この場合、リスナーの耳が任意の位置にあるものと仮定してＨＲＴＦの種々の定数を決定する。従って、特定の位置にリスナーが位置していないと、リアチャンネルがリア側に定位せず、きわめて不明確な音像の定位しか得られない。そこで、ＨＲＴＦを使用したホームシアターシステムの場合はリスニングエリアが極めて狭い。
【０００４】
このリスニングエアリの狭さを解消する方法の一つとして、特開２００３−１９９２００が提案されている。この先行例はリアスピーカーを特定の位置に固定配置するのではなく、ヘッドフォンをリアスピーカーの代わりに使用する。この方法によって、リスナーに対してヘッドフォンの相対位置は常に不変であり、予め定められた位置に耳があるとの前提の元、各種フィルタ定数を設定することで理想的なＨＲＴＦの効果を得ることが可能となる。なお、この先行例においてはフロントスピーカーは従来のものを使用し、フロントスピーカーからの再生音はヘッドフォンに設けられた開口部を通じて聴取する。
【発明の開示】
【発明が解決しようとする課題】
【０００５】
しかしながら、長時間にわたってヘッドフォンを装着するとリスナーの頭部を圧迫することによりリスナーに疲労感を与えるものであり、ゆっくりと映画を鑑賞する際にはヘッドフォンの使用はなるべく避けたいという要望がある。
【課題を解決するための手段】
【０００６】
本発明は上述の課題を解決するために、リスナーの頭部以外に脱着可能に取り付けられる装着部を備えたスピーカー支持体と、スピーカー支持体に取り付けられ、リスナーの肩の上に位置するよう配置されたスピーカーとを備える。
【発明の効果】
【０００７】
本発明によれば、
【発明を実施するための最良の形態】
【０００８】
以下、本発明による最良の実施形態を、添付図面を参照しながら説明する。
【実施例】
【０００９】
以下、本発明の実施例を説明する。図１は本発明装置の設置状況を説明するためのリスニングルームの上面図である。ディスプレイ２の左右にはそれぞれＬチャンネル用スピーカー３、Ｒチャンネル用スピーカー４が配置されている。センタースピーカー４はディスプレイ２の幅方向における中央に配置される。
【００１０】
図２、図３はスピーカー支持体１０がリスナー８に装着された状態を示す側面図及び背面図である。スピーカー支持体１０は右肩、左肩双方に装着されるＵ字状の装着部１１、１２と、装着部１１、１２それぞれをリスナー８の背中側で連結する連結部１３からなり、サラウンドＬチャンネル、サラウンドＲチャンネル用スピーカー６、７がそれぞれ装着部１１、１２にその振動軸が上部を向くよう取り付けられている。
【００１１】
なお、装着部１１、１２は弾性を有しており、がたつきがないようリスナー８の両肩に脱着可能に取り付けられている。
【００１２】
図４は上述のスピーカドライバ３〜７を駆動するアンプを含むホームシアターシステム２０の回路ブロック図である。光学ピックアップ、ターンテーブル等の機構部及び各種サーボ回路やデータ復調回路を備えるＤＶＤドライブ２１からのデジタルデータは５．１チャンネルデコーダ２２に入力され、フロントＬ、フロントセンター、フロントＲ、リアＬ、リアＲチャンネル及びサブウーハーチャンネル信号にそれぞれデコード処理される。
【００１３】
フロントＬ、フロントセンター及びフロントＲ、一方、リアＬ及びリアＲチャンネル信号はデジタルアンプ２３によってＰＷＭ信号とされた後、ローパスフィルタ（以下、ＬＰＦという）２４を通過してアナログ信号とされ、スピーカー３〜５に入力される。
【００１４】
一方、リアＬ、リアＲチャンネルはバーチャライザ２５に入力される。バーチャライザ２５は、例えばリアＬチャンネル信号をリスナー８の肩の上に設置したスピーカーによって再生しても、スピーカーが存在しないリスナーの後方左側から再生音が聞こえてくるようなインパルス応答となるフィルタ特性を持つフィルタを備えるものである。一般にこのフィルタ係数は頭部伝達関数（ＨＲＴＦ）と呼ばれ、畳み込み演算処理が行われる。このバーチャライザ２５自体の構成は当業界においては周知であり、本出願に直接関与するものではないため、その詳述は省略する。
【００１５】
デジタルアンプ２３に入力されたバーチャライザ２５の出力は、デジタルアンプ２３によってＰＷＭ信号とされ、ＬＰＦ２４を通過してアナログ信号とされた後、スピーカドライバ７、８に入力される。
【００１６】
なお、５．１チャンネルデコーダはサブウーハ信号を出力しており、この信号もデジタルアンプ２３によってＰＷＭ信号とされた後、ＬＰＦ２４によってアナログ信号とされサブウーハ２６を駆動する。なお、ＤＶＤドライブ２１や５．１チャンネルデコーダ２２等はマイコン２７によって制御される。
【００１７】
以上の構成によって、５．１チャンネル信号のうち、フロントチャンネルの信号は従来どおり、ディスプレイ２近傍に設置されたスピーカー３〜５によって再生される。またリアＬ、リアＲチャンネルはリスナー８の肩の上に配置されたスピーカー６、７から再生される。従って、リスナー８がいかなる位置にいてもスピーカー６、７とリスナー８との相対位置は変化することがないため、バーチャライザ２５によって生成された定位位置にリアＬ、リアＲチャンネルが明瞭に定位する。
【００１８】
また、ヘッドフォンを使用せずに肩の上に載せたスピーカー６、７を使用しているため、長時間使用しても圧迫感などの不快感をリスナー８に与えることがない。
【００１９】
なお、スピーカー支持体１０は上述の実施例に限定されることなく、リスナー８の肩に装着可能な形状であれば任意の形状を取り得るものであり、その他、本発明の趣旨を逸脱しない範囲で種々の態様を取り得ることは勿論である。
【図面の簡単な説明】
【００２０】
【図１】リスニングルームの上面図。
【図２】スピーカー支持体１０がリスナー８に装着された状態を示す側面図。
【図３】スピーカー支持体１０がリスナー８に装着された状態を示す背面図。
【図４】ホームシアターシステム２０の回路ブロック図。
【符号の説明】
【００２１】
２  ディスプレイ
３〜７  スピーカドライバ
１０  スピーカー支持体
１１、１２  装着部
２３  デジタルアンプ
２５  バーチャライザ
２６  サブウーファー
２７  マイコン
【図１】
2005303707.tif 000003
【図２】
2005303707.tif 000004
【図３】
2005303707.tif 000005
【図４】
2005303707.tif 000006